(57)【要約】【課題】使用者が正当な使用者であるかを容易に認識可能な音声認証システムを提供する。【解決手段】携帯装置１と音声処理端末１１とが無線接続を確立した後に携帯装置から入手した項目データ６と単語データ７のうち単語データを単語辞書１４に辞書追加手段１５により追加し、携帯装置から入力した音声を音声データ変換手段１９によりテキストデータに変換して単語辞書１４に記録されている単語の中から最も近い単語を音声認識手段１７で選択し、選択した単語と、単語辞書１４に追加した単語データとを認証単語比較手段１８で比較して認証を行うことを特徴とする。【選択図】  図１
2004361769.tif 000002
【特許請求の範囲】
【請求項１】
携帯装置と音声処理端末とで構成される音声認証システムであって、
前記携帯装置は、項目データおよび該項目データに対応した単語データが記録された記録手段と、音声入力手段と、該音声入力手段から入力された音声および前記項目データと前記単語データとを入出力するデータ入出力手段とを備え、
前記音声処理端末は、前記携帯装置のデータ入出力手段と無線接続するデータ入出力手段と、単語が記録されている単語辞書と、音声データ変換手段と、音声認識手段と、辞書追加手段と、認証単語比較手段とを備え、前記携帯装置と無線接続を確立した後に前記携帯装置から入手した前記項目データと前記単語データのうち前記単語データを前記単語辞書に前記辞書追加手段により追加し、前記携帯装置から入力した音声を前記音声データ変換手段によりテキストデータに変換して前記単語辞書に記録されている単語の中から最も近い単語を前記音声認識手段で選択し、選択した単語と、前記単語辞書に追加した前記単語データとを前記認証単語比較手段で比較して認証を行うことを特徴とする音声認証システム。
【請求項２】
請求項１記載の音声認証システムにおいて、前記音声処理端末は前記携帯装置と無線接続を確立した後に前記携帯装置から入手した前記項目データから音声合成データを生成する音声合成手段を備え、生成した音声合成データを前記携帯装置に出力し、前記携帯装置は、入力した前記音声合成データを音声に変換する音声データ変換手段と音声出力手段を備え、変換した前記音声を前記音声出力手段より出力することを特徴とする音声認識システム。
【請求項３】
携帯装置と無線接続するデータ入出力手段と、単語が記録されている単語辞書と、音声データ変換手段と、音声認識手段と、辞書追加手段と、認証単語比較手段とを備え、前記携帯装置と無線接続を確立した後に前記携帯装置から入手した項目データと単語データのうち該単語データを前記単語辞書に追加し、前記携帯装置から入力した音声を前記音声データ変換手段によりテキストデータに変換して前記単語辞書に記録されている単語の中から最も近い単語を前記音声認識手段で選択し、選択した単語と、前記単語辞書に追加した前記単語データとを前記認証単語比較手段で比較して認証を行うことを特徴とする音声処理端末。
【請求項４】
請求項３記載の音声処理端末において、前記携帯装置と無線接続を確立した後に前記携帯装置から入手した前記項目データから音声合成データを生成する音声合成手段を備え、生成した音声合成データを前記携帯装置に出力することを特徴とする音声処理端末。
【請求項５】
ＩＣカードと音声処理端末とで構成される音声認証システムであって、
前記ＩＣカードは、項目データおよび該項目データに対応した単語データが記録された記録手段と、共通鍵と、該共通鍵および前記項目データと前記単語データとを入出力するデータ入出力手段とを備え、
前記音声処理端末は、前記ＩＣカードのデータ入出力手段と無線接続するデータ入出力手段と、共通鍵と、乱数を生成し生成した該乱数を前記共通鍵で暗号化する暗号化手段と、前記ＩＣカードのデータ入出力手段と無線接続するデータ入出力手段と、乱数確認手段と、単語が記録されている単語辞書と、音声データ変換手段と、音声認識手段と、辞書追加手段と、使用者が認識できるように音声出力またはディスプレイ表示する使用者認識手段と、音声入力手段と、音声認識手段と、認証単語比較手段とを備え、
前記音声処理端末は、前記ＩＣカードと無線接続を確立した後に前記暗号化手段で暗号化した暗号化乱数を前記ＩＣカードに出力し、
前記ＩＣカードは、入力した前記暗号化乱数を前記ＩＣカードが備える前記共通鍵で復号化し、復号化した復号化乱数を前記音声処理端末に出力し、
前記音声処理端末は、入力した前記復号化乱数を前記暗号化手段における生成した乱数と前記乱数確認手段で確認し、確認した後に前記ＩＣカードから入手した前記項目データと前記単語データのうち前記単語データを前記単語辞書に前記辞書追加手段により追加し、前記ＩＣカードから入力した音声を前記音声データ変換手段によりテキストデータに変換して前記単語辞書に記録されている単語の中から最も近い単語を前記音声認識手段で選択し、選択した単語を前記使用者認識手段により使用者に認識させ、前記音声入力手段より入力した音声を前記音声認識手段で音声認識し、音声認識した単語と、前記単語辞書に追加した前記単語データとを前記認証単語比較手段で比較して認証を行うことを特徴とする音声認証システム。
【請求項６】
ＩＣカードと無線接続するデータ入出力手段と、共通鍵と、乱数を生成し生成した該乱数を前記共通鍵で暗号化する暗号化手段と、前記ＩＣカードのデータ入出力手段と無線接続するデータ入出力手段と、乱数確認手段と、単語が記録されている単語辞書と、音声データ変換手段と、音声認識手段と、辞書追加手段と、使用者が認識できるように音声出力またはディスプレイ表示する使用者認識手段と、音声入力手段と、音声認識手段と、認証単語比較手段とを備え、前記ＩＣカードと無線接続を確立した後に前記暗号化手段で暗号化した暗号化乱数を前記ＩＣカードに出力し、前記ＩＣカードから入力した復号化乱数を前記ＩＣカードの暗号化手段における生成した乱数と前記乱数確認手段で確認し、確認した後に前記ＩＣカードから入手した項目データと単語データのうち該単語データを前記単語辞書に前記辞書追加手段により追加し、前記ＩＣカードから入力した音声を前記音声データ変換手段によりテキストデータに変換して前記単語辞書に記録されている単語の中から最も近い単語を前記音声認識手段で選択し、選択した単語を前記使用者認識手段により使用者に認識させ、前記音声入力手段より入力した音声を前記音声認識手段で音声認識し、音声認識した単語と、前記単語辞書に追加した前記単語データとを前記認証単語比較手段で比較して認証を行うことを特徴とする音声処理端末。
【発明の詳細な説明】
【０００１】
【発明の属する技術分野】
本発明は、使用者が正当な使用者であるかを認識する音声認識システムおよび音声処理端末に関する。
【０００２】
【従来の技術】
従来、情報端末を所有者以外に使用させない為にユーザ認証が行われている。そのユーザ認証方式としては、所有者ＩＤやパスワード入力による認証方式が一般である（例えば、特許文献１参照）。さらに、セキュリティを強化するためには、指紋や声紋、虹彩等を用いた生体情報を使った認証方式が用いられ、所有者以外の人に情報端末を使われないようにする対策がとられている。
【０００３】
【特許文献１】
特開２００２−１３３３８４公報
【０００４】
【発明が解決しようとする課題】
従来の所有者ＩＤやパスワード入力による認証方式では、所有者ＩＤやパスワードは盗用されやすく、特にサイズが小さく軽量な携帯端末では盗難にあった場合個人情報が守れない。また、生体情報に関しては、ＣＰＵパワーの小さい携帯情報端末等での生体認識は処理が複雑になり、認識までに時間がかかり、また、指紋や虹彩を認証するには携帯情報端末にスキャナーが装備されていなければならないという問題がある。
【０００５】
本発明の目的は、使用者が正当な使用者であるかを容易に認識可能な音声認証システムおよび音声処理端末を提供することにある。
【０００６】
【課題を解決するための手段】
本発明の請求項１記載の音声認証システムは、携帯装置と音声処理端末とで構成される音声認証システムであって、前記携帯装置は、項目データおよび該項目データに対応した単語データが記録された記録手段と、音声入力手段と、該音声入力手段から入力された音声および前記項目データと前記単語データとを入出力するデータ入出力手段とを備え、前記音声処理端末は、前記携帯装置のデータ入出力手段と無線接続するデータ入出力手段と、単語が記録されている単語辞書と、音声データ変換手段と、音声認識手段と、辞書追加手段と、認証単語比較手段とを備え、前記携帯装置と無線接続を確立した後に前記携帯装置から入手した前記項目データと前記単語データのうち前記単語データを前記単語辞書に前記辞書追加手段により追加し、前記携帯装置から入力した音声を前記音声データ変換手段によりテキストデータに変換して前記単語辞書に記録されている単語の中から最も近い単語を前記音声認識手段で選択し、選択した単語と、前記単語辞書に追加した前記単語データとを前記認証単語比較手段で比較して認証を行うことを特徴とする。
【０００７】
本発明の請求項２記載の音声認証システムは、請求項１記載の音声認証システムにおいて、前記音声処理端末は前記携帯装置と無線接続を確立した後に前記携帯装置から入手した前記項目データから音声合成データを生成する音声合成手段を備え、生成した音声合成データを前記携帯装置に出力し、前記携帯装置は、入力した前記音声合成データを音声に変換する音声データ変換手段と音声出力手段を備え、変換した前記音声を前記音声出力手段より出力することを特徴とする。
【０００８】
本発明の請求項３記載の音声処理端末は、携帯装置と無線接続するデータ入出力手段と、単語が記録されている単語辞書と、音声データ変換手段と、音声認識手段と、辞書追加手段と、認証単語比較手段とを備え、前記携帯装置と無線接続を確立した後に前記携帯装置から入手した項目データと単語データのうち第単語データを前記単語辞書に追加し、前記携帯装置から入力した音声を前記音声データ変換手段によりテキストデータに変換して前記単語辞書に記録されている単語の中から最も近い単語を前記音声認識手段で選択し、選択した単語と、前記単語辞書に追加した前記単語データとを前記認証単語比較手段で比較して認証を行うことを特徴とする。
【０００９】
本発明の請求項４記載の音声処理端末は、請求項３記載の音声処理端末において、前記携帯装置と無線接続を確立した後に前記携帯装置から入手した前記項目データから音声合成データを生成する音声合成手段を備え、生成した音声合成データを前記携帯装置に出力することを特徴とする。
【００１０】
本発明の請求項５記載の音声認証システムは、ＩＣカードと音声処理端末とで構成される音声認証システムであって、前記ＩＣカードは、項目データおよび該項目データに対応した単語データが記録された記録手段と、共通鍵と、該共通鍵および前記項目データと前記単語データとを入出力するデータ入出力手段とを備え、前記音声処理端末は、前記ＩＣカードのデータ入出力手段と無線接続するデータ入出力手段と、共通鍵と、乱数を生成し生成した該乱数を前記共通鍵で暗号化する暗号化手段と、前記ＩＣカードのデータ入出力手段と無線接続するデータ入出力手段と、乱数確認手段と、単語が記録されている単語辞書と、音声データ変換手段と、音声認識手段と、辞書追加手段と、使用者が認識できるように音声出力またはディスプレイ表示する使用者認識手段と、音声入力手段と、音声認識手段と、認証単語比較手段とを備え、前記音声処理端末は、前記ＩＣカードと無線接続を確立した後に前記暗号化手段で暗号化した暗号化乱数を前記ＩＣカードに出力し、前記ＩＣカードは、入力した前記暗号化乱数を前記ＩＣカードが備える前記共通鍵で復号化し、復号化した復号化乱数を前記音声処理端末に出力し、前記音声処理端末は、入力した前記復号化乱数を前記暗号化手段における生成した乱数と前記乱数確認手段で確認し、確認した後に前記ＩＣカードから入手した前記項目データと前記単語データのうち前記単語データを前記単語辞書に前記辞書追加手段により追加し、前記ＩＣカードから入力した音声を前記音声データ変換手段によりテキストデータに変換して前記単語辞書に記録されている単語の中から最も近い単語を前記音声認識手段で選択し、選択した単語を前記使用者認識手段により使用者に認識させ、前記音声入力手段より入力した音声を前記音声認識手段で音声認識し、音声認識した単語と、前記単語辞書に追加した前記単語データとを前記認証単語比較手段で比較して認証を行うことを特徴とする。
【００１１】
本発明の請求項６記載の音声処理端末は、ＩＣカードと無線接続するデータ入出力手段と、共通鍵と、乱数を生成し生成した該乱数を前記共通鍵で暗号化する暗号化手段と、前記ＩＣカードのデータ入出力手段と無線接続するデータ入出力手段と、乱数確認手段と、単語が記録されている単語辞書と、音声データ変換手段と、音声認識手段と、辞書追加手段と、使用者が認識できるように音声出力またはディスプレイ表示する使用者認識手段と、音声入力手段と、音声認識手段と、認証単語比較手段とを備え、前記ＩＣカードと無線接続を確立した後に前記暗号化手段で暗号化した暗号化乱数を前記ＩＣカードに出力し、前記ＩＣカードから入力した復号化乱数を前記ＩＣカードの暗号化手段における生成した乱数と前記乱数確認手段で確認し、確認した後に前記ＩＣカードから入手した項目データと単語データのうち該単語データを前記単語辞書に前記辞書追加手段により追加し、前記ＩＣカードから入力した音声を前記音声データ変換手段によりテキストデータに変換して前記単語辞書に記録されている単語の中から最も近い単語を前記音声認識手段で選択し、選択した単語を前記使用者認識手段により使用者に認識させ、前記音声入力手段より入力した音声を前記音声認識手段で音声認識し、音声認識した単語と、前記単語辞書に追加した前記単語データとを前記認証単語比較手段で比較して認証を行うことを特徴とする。
【００１２】
【発明の実施の形態】
以下、本発明の実施の形態について、図面を用いて説明する。
【００１３】
図１は本発明の第１の実施の形態の音声認証システムの機能ブロックを示す図である。本実施の形態では、携帯装置として、無線機能つきのヘッドセットを用いた場合である。１はヘッドセットであり、２はマイク、３はイヤホンであり、ヘッドセット１の使用者はマイク２から音声を入力し、イヤホン３から音を聞く。４は音声データ処理手段、５は無線通信手段であり、音声データ処理手段４はマイク２から入力した音を音データに変換し、さらに、無線通信手段５で送信可能なデータに変換する。
【００１４】
９は認証情報記録手段であり、認証情報記録手段９に、項目データ６および項目データ６に対応した単語データ７が記録されている。８は認証情報変換手段であり、項目データ６および単語データ７を無線で送信するデータに変換を行い無線送信手段５にデータを渡す。
【００１５】
なお、無線通信手段５は近距離、例えば、数メートル以内で通信を行う通信手段であり、通信可能な無線通信手段が接続可能な範囲内に有るとき自動的に接続処理を開始するものである。
【００１６】
図２は図１の認証情報記録手段９に記録の項目データ６および単語データ７の例を示す図である。項目データ６は、後で説明する音声処理端末が質問する内容であり、例えば「好きな動物」「好きな場所」等、ヘッドセット１の所有者が答えられる項目が記録されている。単語データ７は項目データ６に対応する単語が記録されている。例えば、ヘッドセット１の所有者の好きな動物がしまうまなら「しまうま」が記録されている。なお、他にも音声認識用の発音記号等が記録されていてもよい。これら認証データはヘッドセットと機器認証がとれている信頼できる情報端末のみ書きこみ、閲覧を可能とすることで、正当な使用者が容易にかつ安全に変更できるようにすることが可能である。
【００１７】
図１において、１１は音声処理端末であり、音声処理端末１１は音声認識、音声合成機能が搭載可能な端末、例えば、携帯情報端末やパソコン、ＣＰＵやメモリが搭載されている音声認識・合成専用端末など何でもよい。１２は無線通信手段であり前記ヘッドセット１の無線通信手段５と接続し、データの送受信を行う。１３はデータ変換手段であり、無線通信手段１２から入力された受信データから、音声データ、項目データ６、単語データ７を取出す。さらに、音声データを無線通信手段１２で送信するデータに変換する。１４は音声認識用辞書、１５は辞書追加削除手段であり、前記データ変換手段１３で取出した単語データを音声認識用辞書１４に追加したり、削除したりする。
【００１８】
図３は図１の音声認識辞書１４に登録されている単語１４ａの一例を示す図である。音声認識用辞書１４では予め複数の単語１４ａが登録されている。なお、登録する単語は日本語、英語は問わない。また、単語以外に読み記号等が記録されてもかまわない。（ａ）は単語データ７と、単語データ７を追加する前の音声認識用辞書１４の登録されている単語１４ａの一例を示している。（ｂ）は、音声認識用単語辞書１４に単語データ７を追加した単語１４ｂを示している。なお、単語データが追加される位置は特にこだわらず、どこでもよい。この単語データ７を追加した音声認識用辞書１４を音声認識に使用する。
【００１９】
図１において、１６は音声合成手段であり、前記データ変換手段１３で取出した項目データ６を音声データに変換する。１７は音声認識手段であり、データ変換手段１３で取出した音声データを文字に変換し、前記音声認識用辞書１４に記録されている単語から最も近い単語を選別する。なお、音声認識手段１７は、認識した単語に近い単語が音声認識用辞書１４にない場合は、音声認識用辞書１４から単語を選ばない場合もある。１８は認識単語比較手段であり、音声認識手段１７により選択された単語と、データ変換手段１３からの単語データの比較して認識を行う。
【００２０】
図４は図１の構成の動作フローを示す図である。図１と同じ箇所には同じ番号を付してある。
【００２１】
ヘッドセット１と音声処理端末１１は、お互いの無線通信手段５と１２が通信可能な距離に近づくと無線接続処理を行い、無線通信可能な無線接続確立１０１をする。次に、音声処理端末１１は認証情報の要求１０２をヘッドセット１に送信する。ここでの認証情報は前記図１の項目データ６および単語データ７を示す。認証情報要求を受信１０３したヘッドセット１は記録されている認証情報を送信１０４する。
【００２２】
認証情報を受信１０５した音声処理端末１１は、受信した単語データ７を、音声認識用辞書１４に辞書追加削除手段１５により追加１０６を行う。さらに、項目データ６から音声合成手段１６により音声合成データ生成のための音声合成処理１０７を行い、生成した音声合成データを送信１０８する。ここで、生成される音声合成データは項目データのみでもよいし、項目データに疑問のことば、例えば、「何ですか」等の言葉を付加した音声合成データとしてもよい。
【００２３】
音声合成データを受信１０９したヘッドセット１は音声データ処理手段４により音声に変換１１０し、イヤホン３から音声を流す。ヘッドセット１をしている使用者はイヤホン３で聞かれた音声による質問の回答を発声する。使用者が発声した音声は、マイク２からヘッドセット１に入力され音声データ処理手段４により無線送信用の認識用音声データに変換１１１され認識用音声データとして送信１１２される。
【００２４】
認識用音声データを受信１１３した音声処理端末１１は、音声データ変換手段１９によりテキストデータに変換し、音声認識手段１７で、音声認識用単語辞書１４に記録されている単語から入力された音声データに最も近い単語を選択する。次に認識単語比較手段１８で、先に音声認識用単語辞書１４に追加した単語データ７と前記音声認識手段１７により選択した単語とを比較１１５して、一致していればヘッドセット１の使用者は正当な使用者とみなし、音声処理端末１１を使用可能とする。また、先に受信した単語データ７と音声認識手段１７により選択された単語が一致していなければ、不正な使用者として音声処理端末の使用を不可能とする。
【００２５】
以上、音声認識を一度行う動作フローで説明したが、複数の項目データ６および音声データが登録されている場合は図４の動作フローを複数回繰り返し、より厳しい認証としてもよいし、一度入力する音声を所有者が誤っても、何度か質問をするうち一回でも合えば音声処理端末が使えるような処理としてもよい。
【００２６】
以上説明した本実施の形態の音声認証システムにより、先に音声処理端末側に認証のための情報がなくても、ヘッドセット側からの情報により、音声を用いて容易に正当な所有者の使用か否か判断可能となる。また、音声処理端末側に予め辞書を持たせることにより、選択できる単語を複数とし、雑音や近い言葉による偶然の認証に対応可能となる。
【００２７】
また、項目データおよび単語データのヘッドセットの書き込みは初期状態以外の場合では、本実施の形態の音声による認証が確認された場合のみ可能とすることで、不正な使用者による不正な登録はできないようになる。
【００２８】
また、本実施の形態でヘッドセットと音声処理端末が無線接続する際に、お互いの端末ＩＤ等の固有のＩＤにより認証することにより機器の認証は可能である。
【００２９】
図５は本発明の第２の実施の形態の音声認証システムの機能ブロックを示す図である。図１と同じ個所には同じ番号を付してある。
【００３０】
図５の音声認証システムは、図１のヘッドセット１に代えて、ＩＣカード２１を項目データ６および単語データ７の記録、通信用に用いた例である。ＩＣカード２１には項目データ６と単語データ７が記録されており、認証情報変換手段２５はＩＣカード２１の通信規格に合わせたデータに変換する。無線通信手段２４は認証情報変換手段２５の入出力データを音声処理端末３１に送信する。また、ＩＣカード２１は、共通鍵２２および共通鍵を用いて暗号化データを復号化する復号化手段２３をもつ。
【００３１】
音声処理端末３１は音声入力手段であるマイク３７および音声出力手段であるスピーカ３６をもち、マイク３７からの音声は音声認識手段１７の入力に、スピーカ３６は音声合成手段１６の出力に接続する。また、音声処理端末３１は、ＩＣカード２１を認証するための共通鍵３２および乱数生成手段３３で生成した乱数を暗号化する暗号化手段３４、乱数生成手段３３で生成した乱数とＩＣカード２１から戻された乱数を比較する乱数データ確認手段３８を有する。
【００３２】
図６は図５の構成の動作フローを示す図である。図４と同じ個所には同じ番号を付してある。
【００３３】
ＩＣカード２１と音声処理端末３１は図４と同様に無線接続を確立１０１する。その後、ＩＣカード２１の認証を行う。そのため、音声処理端末３１は乱数生成手段３３で乱数を生成２０１し、共通鍵２３０で乱数暗号化２０２し、ＩＣカード２１に暗号化乱数を送信２０３する。暗号化乱数を受信２０４したＩＣカード２１は、暗号化乱数を共通鍵２３１で復号化２０５し、復号化乱数を送信２０６する。
【００３４】
復号化乱数を受信２０７した音声処理端末３１は、複号化乱数と、先に生成した乱数とを比較２０８し、一致していればＩＣカード２１が正当なものだと認証して操作を続け、乱数が一致せず不正なＩＣカードであると判断した場合は無線接続を解除する。
【００３５】
以下、図４で説明した、ステップ１０２から１０６までの動作をし、次に、項目データ６から音声合成データを生成するための音声合成処理１０７を行い、生成した音声合成データをスピーカ３６から音声として流す。スピーカ３６から聞いた音声による質問を聞いた使用者が発声した質問に対する回答を、音声認識手段１７により音声認識１１４し、次に認識単語比較手段１８で、先に音声認識用単語辞書１４に追加した単語データ７と前記音声認識手段１７により選択した単語とを比較１１５して、一致していればヘッドセット１の使用者は正当な使用者とみなし、音声処理端末１１を使用可能とする。また、先に受信した単語データ７と音声認識手段１７により選択された単語が一致していなければ、不正な使用者として音声処理端末の使用を不可能とする。
【００３６】
本実施の形態では、ＩＣカード２１を使用するため、音声処理端末３１の端末操作を可能にする等の利用方法のほかに、本人認証可能なＩＣカードキーとしてドアの開閉等に使用することができる。
【００３７】
図７は第３の実施の形態の音声認証システムの機能ブロックを示す図である。図６と同じものは同じ番号を付し、説明を省略する。
【００３８】
図７は音声処理端末６１が音声合成、音声出力手段を持たない場合であり、代わりに表示データ作成手段６２とディスプレイ６３とを備え、表示データ作成手段６２で生成した表示データである項目データを、ディスプレイ６３に表示する。
【００３９】
図８は本発明の第３の実施の形態の音声認証システムの機能ブロックを示す図で、図７のディスプレイ６３に表示される項目データ６４の例を示す図である。ＩＣカード２１の使用者はディスプレイ６３をみて、音声で回答する。以下、動作フローは図６と同様なため省略する。
【００４０】
本実施の形態により、音声処理端末の音声合成機能が省け、より少ないメモリでの音声処理端末の実現が可能である。
【００４１】
なお、以上の実施の形態では無線タイプ、すなわち非接触タイプのＩＣカードを例に説明したが、図５および図７の無線通信手段２４にかえて入出力端子、無線通信手段３５にかえてＩＣカードリーダライタ手段とすることにより、接触型のＩＣカードを使うことも可能である。
【００４２】
【発明の効果】
本発明によれば、使用者が正当な使用者であるかを容易に認識可能な音声認証システムおよび音声処理端末を得ることができる。
【図面の簡単な説明】
【図１】本発明の第１の実施の形態の音声認証システムの機能ブロックを示す図である。
【図２】図１の認証情報記録手段に記録の項目データおよび単語データの例を示す図である。
【図３】図１の音声認識辞書に登録されている単語の一例を示す図である。
【図４】図１の構成の動作フローを示す図である。
【図５】本発明の第２の実施の形態の音声認証システムの機能ブロックを示す図である。
【図６】図５の構成の動作フローを示す図である。
【図７】本発明の第３の実施の形態の音声認証システムの機能ブロックを示す図である。
【図８】図７のディスプレイに表示される項目データの例を示す図である。
【符号の説明】
１：ヘッドセット、２：マイク、３：イヤホン、４：音声データ処理手段、５：無線通信手段、６：項目データ、７：単語データ、８：認証情報変換手段、９：認証情報記録手段、１１・・・音声処理端末、１２：無線通信手段、１３：データ変換手段、１４：音声認識用辞書、１５：辞書追加削除手段、１６：音声合成手段、１７：音声認識手段、１８：認証単語比較手段、２１：ＩＣカード、２２：共通鍵、２３：復号化手段、２４：無線通信手段、２５：認証情報変換手段、３１：音声処理端末、３２：共通鍵、３３：乱数生成手段、３４：暗号化手段、３５：無線通信手段、３６：スピーカ、３７：マイク、６１：音声処理端末、６２：表示データ作成手段、６３：ディスプレイ。
【図１】
2004361769.tif 000003
【図２】
2004361769.tif 000004
【図３】
2004361769.tif 000005
【図４】
2004361769.tif 000006
【図５】
2004361769.tif 000007
【図６】
2004361769.tif 000008
【図７】
2004361769.tif 000009
【図８】
2004361769.tif 000010